(57)【特許請求の範囲】
【請求項１】
所定箇所に開口部を有する合成樹脂板で形成され、
側端部分を前方に折曲してＵ字状に形成される嵌合部を有し、該嵌合部により電子機器の操作部の両側に設けられている取手に脱着可能としたことを特徴とする誤操作防止カバー。
【請求項２】
前記取手は、モニタ装置の前面に突出しているＵ字状の支柱とされることを特徴とする請求項１に記載の誤操作防止カバー。
【請求項３】
前記誤操作防止カバーは透明性を有することを特徴とする請求項１に記載の誤操作防止カバー。
【０００１】
【発明の詳細な説明】
【産業上の利用分野】
本発明は、例えばモニタ装置などの操作部に配される各種操作子に、不用意に触れてしまうことによる誤操作を防止する、誤操作防止カバーに関するものである。
【０００２】
【従来の技術】
最近では、例えば業務用として図６に示されているような小型で持ち運びが容易なモニタ装置が一般的になってきている。
この図で３０はモニタ装置である。３１はモニタ装置３０の正面に配されモニタ映像を写し出すＣＲＴ、３２はＣＲＴ３１の下方に、種々操作子群３２ａ、３２ｂ、３２ｃ、及びパワーインジケータ３２ｄ、電源スイッチ３２ｅが配されている操作部である。操作子群３２ａには、例えばＡ／Ｂ・ＲＧＢ／Ｙ，Ｒ−Ｙ，Ｂ−Ｙ、ＬＩＮＥ／ＲＧＢ、ＳＹＮＣ／ＩＮＴ／ＥＸＴ、ＢＬＵＥ・ＯＮＬＹ、ＵＮＤＥＲ・ＳＣＡＮ、Ｈ／Ｖ・ＤＥＬＡＹ等のスイッチボタン、操作子群３２ｂにはＲＧＢ毎のバイアス、ゲインを調整する操作つまみ、操作子群３２ｃには、例えばアパーチャ、輝度、クロマ、位相、コントラスト、ボリュームを調整するボリュームつまみが配されている。操作部３２の両側端部分は、例えばモニタ装置３０を移動する場合又は各操作子を保護する目的で一対の取手３３、３４が配されている。
【０００３】
このモニタ装置３０は小型化されているので、例えばスタジオ内やＬＬ教室、工場のラインモニタとして任意の場所に設置することができる。また、例えば医療機器として用いる場合も、状況に応じて適切な位置に配置し映像のモニタを行なうことができる。
さらに、設置可能な場所はスタジオ内に限らず、屋外に持ち出して屋外収録のモニタ装置として使用することも可能である。
したがって、このように設置場所の条件や、モニタを行なう対象物に対応して、その都度操作部３２に配されている操作子群３２ａ、３２ｂ、３２ｃのスイッチボタン、ボリュームつまみを所定の状態に設定して、その状況の正確なモニタを行なうことができるようになされている。
【０００４】
【発明が解決しようとする課題】
ところが、例えばＬＬ教室や、工場の生産ライン等では、モニタ装置３０のモニタ状況を調整するユーザと、調整されたモニタ装置３０の映像を実際にモニタしながら各種の作業を行なうユーザが異なる場合がでてくる。このような場合、作業中のユーザの不用意な誤操作により、調整後のモニタ装置３０の設定が変わってしまい、正確な状況をモニタすることができなくなる場合がある。また、特にモニタ装置３０を医療機器のモニタとして用いる場合は、各種の調整を行なった後に、モニタ装置３０を消毒する際、消毒を行なうユーザが不用意に操作子に接触してしまい、設定状況が変わってしまうこともある。
【０００５】
そこで、モニタ装置３０本体にヒンジ機構を有する扉を設け、この扉により操作部３２に配されている操作子群３２ａ、３２ｂ、３２ｃを保護して、上記したような誤操作を防止するようになされている機種もあるが、頻繁に調整が必要な操作子も覆ってしまい、上記扉がかえって邪魔になる場合もある。さらに、操作性を向上するために、上記扉だけを取り外すと外観が低下し見映えの良いものではなくなってしまう。
【０００６】
【課題を解決するための手段】
本発明はこのような問題点を解決するためになされたもので、所定箇所に開口部を有する透明の合成樹脂板で形成し、側端部分にバネ機構により形成され先端部が係止部とされる嵌合部を設け、前記嵌合部により例えば業務用として用いられるモニタ装置などの操作部近傍に設けられている取手等に脱着が可能となるように誤操作防止カバーを構成する。
【０００７】
【作用】
本発明の誤操作防止カバーは、例えばモニタ装置等の前面にある取手に脱着可能なので、カバー取付けに関わる新たな加工を施す必要がなく、モニタ装置の外観も変更がないので、デザイン上の不具合を感じさせることがない。
【０００８】
【実施例】
以下、本発明の誤操作防止カバーの一実施例として、例えば業務用のモニタ装置に用いる場合について説明する。
図１は図６に示したモニタ装置３０の取手３３、３４に、本実施例の誤操作防止カバーを取付けた場合の外観を示す斜視図、図２（ａ）は誤操作防止カバーの斜視図、図２（ｂ）は上面図である。
【０００９】
これらの図で、１は誤操作防止カバーを示す。この誤操作防止カバー１は透明板（例えばアクリル板）で形成されているので、操作部３２の操作子群３２ａ、３２ｂ、３２ｃの各操作子の設定状況、及びパワーインジケータ３２ｄの点灯状況を誤操作防止カバー１越しに確認することが可能である。２、３は誤操作防止カバー１の両側端部分にバネ機構により形成されている嵌合部を示す。この嵌合部２、３は後で説明するように、通常は取手３３、３４の直径よりやや狭い幅Ｗを有し、脱着時にはバネ機構によって幅Ｗが広がるように形成されている。さらに、その先端部分には取手３３、３４に係止される僅かに突出した係止部２ａ、３ａが形成されている。
【００１０】
４は開口部を示し、本実施例では例えばモニタ装置３０の操作部３２の電源スイッチ３２ｅに対応する位置に設けられ、誤操作防止カバー１が取付けられている場合でも、電源スイッチ３２ｅのオン／オフ操作を行なうことができるようになされている。なお、本実施例では開口部４は電源スイッチ３２ｅに対応する位置に設けられているが、その他にも、頻繁に操作を行なう操作子が配されている場合は、その操作子に対応する位置に開口部４を設けることもできる。
【００１１】
以下、誤操作防止カバー１をモニタ装置３０の取手３３、３４に取付ける場合について説明する。
図３は誤操作防止カバー１をモニタ装置３０に取付ける際の概要を一点鎖線の矢印で示す斜視図である。誤操作防止カバー１をモニタ装置３０に取り付ける場合は、図３に示されているように、誤操作防止カバー１を嵌合部２、３が取手３３、３４に対向するような位置に配して、一点鎖線で示されているようにはめ込むようにする。
【００１２】
この、誤操作防止カバー１の取付け手順を図４（ａ）（ｂ）（ｃ）にしたがい説明する。この図に示される誤操作防止カバー１、及び取手３３、３４は、図３に示したＡ−Ａ’の断面で示されており、モニタ装置３０は操作部３２付近が上方から示されている。
同図（ａ）に示されているように、操作部３２の前方に誤操作防止カバー１を配し矢印Ｊ方向に変移させると、同図（ｂ）に示されているように、嵌合部２、３の先端部分に形成されている係止部２ａ、３ａが、それぞれ取手３３、３４に当接して矢印Ｃ方向に広がるようになる。そしてさらに矢印Ｊ方向に押し込むと、取手３３、３４が嵌合部２、３に嵌合されるとともに、係止部２ａ、３ａに係止され、誤操作防止カバー１が取手３３、３４に固定されるようになる。
【００１３】
図５は図４（ｃ）に示した状態を側面から示す図である。
図示されているように、誤操作防止カバー１を取付けることにより、操作部３２がカバーされるようになり、取付け後はユーザが操作子群３２ａのスイッチボタン、操作子群３２ｃのボリュームつまみ等に触れることができなくなる。
【００１４】
また、取付けられた誤操作防止カバー１は、図４（ｃ）に示されている状態から、先述した順序とは逆に、矢印Ｅ方向、すなわち手前に誤操作防止カバー１を引き出すようにすることにより、係止部２ａ、３ａの係止が解除され取手３３、３４から取り外すことが可能である。
【００１５】
このようにして、取手３３、３４に誤操作防止カバー１を取付けることにより、操作部３２が保護され、電源スイッチ３２ｅを除く操作子群３２ａ、３２ｂ、３２ｃの操作キーに不用意に触れることを防止することができる。また、電源スイッチ３２ｅが設けられている位置には、開口部４が設けられているので、誤操作防止カバー１が取付けられている状態でも、電源のオン／オフは通常どうりに行なうことが可能である。さらに、誤操作防止カバー１は透明板で形成されてるので、取付け後も操作子群３２ａ、３２ｂ、３２ｃの設定状況、及びパワーインジケータ３２ｄの点灯状況を確認することができる。
【００１６】
なお、本実施例では誤操作防止カバー１をモニタ装置に取りつける例で説明したが、各種オーディオ機器等、操作部近傍に取手を有するさまざまな電子機器に、取り付けて誤操作を防止することが可能である。又誤操作防止カバー１は必ずしも透明ではなく、僅かに透光性を有する色付きのものを使用してもよい。
【００１７】
【発明の効果】
以上、説明したように本発明の誤操作防止カバーは、電子機器の操作部近傍に設けられている持ち運び用の取手に取り付けることができるので、モニタ装置の外観を変更せずに取付けることが可能である。
そして、本発明の誤操作防止カバーを取付けた場合、モニタ装置の画像を調整するユーザと画像をモニタするユーザが異なる、例えばＬＬ教室、工場の生産ライン等で用いる場合でも、画像のモニタ中の不用意な誤操作を防ぐことができるようになる。あるいは、医療機器として用いられるモニタ装置に用いることにより、画質調整後にモニタ装置を消毒する際に、消毒を行なうユーザが不用意に各種操作子に触れて設定が変わってしまうことも防止できる。また、比較的頻繁に操作を行なう、例えば電源スイッチ等を覆う部分には開口が設けられているので、誤操作防止カバーが取付けられている時でも、オン／オフ操作などを行なうことができる。
さらに、本発明の誤操作防止カバーは透明板で形成されているので、モニタ装置に取る付けられているときでも、カバー越しに各操作キーの設定状況を確認することができるという利点がある。
【図面の簡単な説明】
【図１】本発明の実施例の誤操作防止カバーをモニタ装置に取付けた場合の外観斜視図である。
【図２】実施例の誤操作防止カバーの斜視図、及び上面図である。
【図３】実施例の誤操作防止カバーをモニタ装置に取付ける場合の概要を示す斜視図である。
【図４】実施例の誤操作防止カバーをモニタ装置に取付ける場合の概要を上方から示す図である。
【図５】実施例の誤操作防止カバーをモニタ装置に取付けた状態を側面から示す図である。
【図６】一般的な業務用のモニタ装置の外観斜視図である。
【符号の説明】
１  誤操作防止カバー
２、３  嵌合部
２ａ、３ａ  係止部
４  開口部
３３、３４  取手
【図１】
0003546459.tif 000002
【図２】
0003546459.tif 000003
【図３】
0003546459.tif 000004
【図４】
0003546459.tif 000005
【図５】
0003546459.tif 000006
【図６】
0003546459.tif 000007